(57)【要約】【課題】中耕の幅と深さ、除草の幅と深さを簡単に調節できるカルチベータにおける中耕除草装置の提供。【解決手段】センタービーム１２の前部右側および中間部左側に、外方へ伸縮自在に設けたスライドシャンク１３の外端部に、上下方向にタイン挿通孔４３を形成したタイン保持体１６を取付ける。左側のタイン保持体１６のタイン挿通孔４３に、下部左曲り直立形タイン２４と下部右曲り後退形タイン２７を左右に重ね合せて挿通し、止めねじ３３で高低調節自在に固定する。右側のタイン保持体１６のタイン挿通孔４３に、下部右曲り直立形タイン２５と下部左曲り後退形タイン２６を左右に重ね合せて挿通し、止めねじ３３で高低調節自在に固定する。【選択図】  図６      
2005124461.tif 000002
【特許請求の範囲】
【請求項１】
畦間中心線に沿って走行させるセンタービームの前部右側および中間部左側に、前記センタービームと直交にスライドシャンクを水平に外方へ伸縮固定自在に設け、これらのスライドシャンクの外端部から下方に突設した取付け柄の下端部に前進方向に向け中耕爪を設け、前記センタービームの後端部から下方に突設した取付け柄の下端部に前進方向に向け中耕爪を設けたカルチベータにおいて、前記前部および中間部の取付け柄の上部外面にタイン保持体を着脱自在に取付け、前進方向左側および右側の前記タイン保持体に、それぞれ前縁に切刃を形成し下部折曲げ部に貫入角を与えた下部左曲り直立形タインおよび下部右曲り直立形タインを上下に挿通するとともに、高低調節自在に固定したカルチベータにおける中耕除草装置。
【請求項２】
前記前進方向左側および右側のタイン保持体に、それぞれ直立部の後方に斜め下向き傾斜部を形成し、前記斜め下向き傾斜部前縁に切刃を形成し、下部折曲げ部に貫入角を与えた下部左曲り後退形タインおよび下部右曲り後退形タインを上下に挿通するとともに、高低調節自在に固定した請求項１記載のカルチベータにおける中耕除草装置。
【請求項３】
センタービームの前部右側および中間部左側に前記センタービームと直交にスライドシャンクを水平に外方へ伸縮固定自在に設け、前記センタービームの後端部から下方に突設した取付け柄の下端部に前進方向に向け中耕爪を設けたカルチベータにおいて、前記前部右側および中間部左側のスライドシャンクの外端部にそれぞれ着脱自在にタイン保持体を取付け、前進方向左側のタイン保持体に、前記下部右曲り後退形タインと下部左曲り直立形タイン又は前記下部左曲り後退形タインと下部右曲り直立形タインをそれぞれ左右に重ね合せ上下に挿通するとともに、それぞれ高低調節自在に固定し、前進方向右側のタイン保持体に、前記下部左曲り後退形タインと下部右曲り直立形タイン又は前記下部右曲り後退形タインと下部左曲り直立形タインをそれぞれ左右に重ね合せ上下に挿通するとともに、それぞれ高低自在に固定したカルチベーターにおける中耕除草装置。
【発明の詳細な説明】
【技術分野】
【０００１】
本発明は、カルチベータにおける中耕除草装置であって、とくに下端部を右および左に折曲げた直立形と後退形のタインを用いるものに関する。
【背景技術】
【０００２】
中耕除草は、播種移植後に作物および微生物の必要とする空気や雨水等の透過し難い状態に固結してくる畦間や株間の表土を撹耕して膨軟にし、畦間に自然に繁茂し作物の成長を妨げる雑草を除去することであり、作物の生育過程における重要な管理作業の一つである。
【０００３】
上記管理作業に使用される農作業機にカルチベータがある。そして、カルチベータの中耕除草に用いられる部品として、例えば、庄司英信著、農業機械学概論（昭和４６年２月２０日株式会社養賢堂第１２版発行、第２１９頁〜第２２１頁、第１０章第２節カルチベーターの項参照）に、中耕爪および除草刃が記述されている。
【０００４】
前記中耕爪は、鋭利にして耐久性がよいように厚さ３ｍｍ以上でショアー硬さ５５度以上の浸炭鋼製のものが普通とされ、刃幅３〜８cm、耕深５〜６ｃｍに耕土の表面を撹耕する上下端が突三角形の凹湾曲長方形のものである。除草刃は主として表土を浅く水平に切断してゆく平刃が多く、両刃と片刃がある。
【０００５】
また、従来から、カルチベータに関する考案、発明は多数提案されている。例えば、実公平７−３８４６号には、カルチベータの中骨ビームに装着する掻爪ならびにスライドシャンク用チャックブラケットが開示されている。この掻爪は、取付け柄の下端部に中耕刃を装着したものであり、スライドシャンクはその外方への伸縮によって中骨ビームの左右における中耕刃の位置を調節可能にし、耕幅を変えるものである。
【特許文献１】実用新案公告平成７年第３８４６号公報
【非特許文献１】庄司英信著、農業機械学概論（昭和４６年２月２０日株式会社養賢堂第１２版発行、第２１９頁〜第２２１頁）
【発明の開示】
【発明が解決しようとする課題】
【０００６】
従来のカルチベータにおける中耕爪は、その刃幅が３〜８cmであり、中耕爪１本あたりの耕幅が前記刃幅よりわずかに大きい程度である。したがって、中耕爪を交換せずに簡単容易に耕幅や耕深を拡大したいという要望がある。また、従来の除草刃は、表層で雑草の根を切断するもので、深部で根を切断することが難しく、また、除草刃の取付けには、中耕爪を取外し交換するという煩雑さがあった。
【０００７】
そこで、本発明は、高低調節自在にかつ簡単容易に着脱できる中耕除草用のタインを中耕爪の外側方に併設し、砕土幅、砕土深を増加するとともに、深部での雑草切断を可能にすることを解決しようとする課題にしている。
【課題を解決するための手段】
【０００８】
従来から、畦間中心線に沿って走行させるセンタービームの前部右側および中間部左側に、前記センタービームと直交にスライドシャンクを水平に外方へ伸縮固定自在に設け、これらのスライドシャンクの外端部から下方に突設した取付け柄の下端部に前進方向に向け中耕爪を設け、前記センタービームの後端部から下方に突設した取付け柄の下端部に前進方向に向けけ中耕爪を設けたカルチベータは公知である。
【０００９】
本発明は、上述した公知のカルチベータにおいて、前記前部および中間部の取付け柄の上部外面にタイン保持体を着脱自在に取付け、前進方向左側および右側のタイン保持体に、それぞれ前縁に切刃を形成し下部折曲げ部に貫入角を与えた下部左曲り直立形タインおよび下部右曲り直立形タインを上下に挿通するとともに、高低調節自在に固定し、カルチベータにおける中耕除草装置とした。
【００１０】
また、前進方向左側および右側のタイン保持体に、それぞれ直立部の後方に斜め下向き傾斜部を形成し、前記斜め下向き傾斜部前縁に切刃を形成し、下部折曲げ部に貫入角を与えた下部左曲り後退形タインおよび下部右曲り後退形タインを上下に挿通するとともに、高低調節自在に固定し、カルチベータにおける中耕除草装置とした。
【００１１】
また、前記センタービームの前部右側および中間部左側に前記センタービームと直交にスライドシャンクを水平に外方へ伸縮固定自在に設け、前記センタービームの後端部から下方に突設した取付け柄の下端部に前進方向に向け中耕爪を設けたカルチベータにおいて、前記前部右側および中間部左側のスライドシャンクの外端部にそれぞれ着脱自在にタイン保持体を取付け、前進方向左側のタイン保持体に、前記下部右曲り後退形タインと下部左曲り直立形タイン又は前記下部左曲り後退形タインと下部右曲り直立形タインをそれぞれ左右に重ね合せ上下に挿通するとともに、それぞれ高低調節自在に固定した。
【００１２】
そして、前進方向右側のタイン保持体に、前記下部左曲り後退形タインと下部右曲り直立形タイン又は前記下部右曲り後退形タインと下部左曲り直立形タインをそれぞれ左右に重ね合せ上下に挿通するとともに、それぞれ高低自在に固定しカルチベーターにおける中耕除草装置としたものである。
【発明の効果】
【００１３】
本発明における請求項１のカルチベータにおける中耕除草装置は、前進方向右側の中耕爪の右側にタイン保持体を介し高低調節自在に設けられた下端部右曲り直立形タインが、
その耕幅を右側の中耕爪に加え簡単に中耕幅を増加することができるとともに、除草作用を行うことができる。
【００１４】
同様に前進方向左側の中耕爪の左側にタイン保持体を介し下端部左曲り直立形タインを高低調節自在に設けたので、左側の中耕爪と下端部左曲り直立形タインによって中耕幅を簡単に増加することができるとともに、除草作用を行うことができる。
【００１５】
また、下端部左曲り直立形タインと下端部右曲り直立形タインを、それぞれ前進方向左側タイン保持体および前進方向右側のタイン保持体に挿通し高低調節自在に固定できるものにしたので、固定を緩め中耕深ならびに除草深を簡単に変えることができる。
【００１６】
しかも、下端部左曲り直立形タインと下端部右曲り直立形タインを、その前縁に切刃を形成し、下端部の折曲げ部に貫入角を与えたので、カルチベータの前進に伴いこれら下端部左曲りおよび右曲り直立形タインを耕土中に進入させることができる。
【００１７】
また、本発明における請求項２の発明は、直立部の後方に斜め下向き傾斜部を形成した下端部左曲り後退形タインと下端部右曲り後退形タインを、それぞれ前進方向左側のタイン保持体および右側のタイン保持体に挿通するとともに、高低調節自在に固定するものである。そして、これらタインの前縁部に切刃を形成し、下端部の折曲げ部を前方に傾斜する貫入角を与えた。この斜め下向き傾斜部により耕土への切込み抵抗が少し、下端部の折曲げ部が前方傾斜の貫入角によって耕土中へ切込むようになる。
【００１８】
請求項３の発明は、センタービームの前部と中間部における中耕爪とその取付け柄を取りはずし、スライドシャンクの外端部外側にシャンク保持体を取り付け、下端部左曲げ直立形タインと下端部右曲り後退形タインを左右に重ね合せ、それぞれ固定するものである。すなわち、下端部左曲り直立形タインと下端部右曲り後退形タインの下端部が、左右に位置することによって、広い耕幅と除草幅を得ることができる。また、タイン保持体への固定を緩めるという簡単な操作で下端部左曲り直立形タインと下端部右曲り後退形タインの耕土への深さを簡単に調節することができる。
【００１９】
また、タイン保持体への下端部左曲り直立形タインと下端部右曲り後退形タインとの組合せを、下端部右曲り直立形タインと下端部左曲り後退形タインとに変えることができるので、組合せを適宜選択することによって、好適な中耕除草作用を得ることができる。。
【発明を実施するための最良の形態】
【００２０】
カルチベータは、センタービームの前部右側又は左側および中間部の左側又は右側に、センタービームに直交し外方へ水平に伸縮固定自在なスライドシャンクを備えたものが最適である。そして、このスライドシャンクの外端部にタイン挿通部を形成したタイン保持体を取付け、右側の中耕爪の外側方に下端部右曲げ直立形タイン又は後退形タインをタイン挿通部に取付け、左側の中耕爪の外側方に下端部左曲げ直立形タイン又は後退形タインをタイン挿通部に取付け、中耕爪の幅にタイン幅を加え、カルチベータの耕幅ならびに深度を増加するとともに、除草を可能にする。
【００２１】
また、センタービームの前部および中間部の取付け柄と中耕爪を取外し、前記スライドシャンク外端に取付けたタイン保持体に、下端部右曲げ直立形タインと下端部左曲げ後退形タインを左右に並べて取付けることによって、右曲げと左曲げのタインの作用幅を加えた耕幅、耕深ならびに除草幅、除草深、すなわち広い作用幅を得るようにする。  
【実施例１】
【００２２】
次に、図によって本発明の実施例を説明する。説明において、図中の記号Fは前進方向、左右は前進方向に見ての表示である。図１は、本発明の第１実施例を備えたカルチベータの後方斜視図であり、図２は、図１の要部左側面図である。図１、図２において、カルチベータ１は、前部にトラクタの油圧３点支持装置に連結するマスト２を備えたツールバー３を備えている。４はチヤンネル縦桁であり、横方向の間隔を調節しツールバー３の下部に締金５でボルト止め５a、5b（図２参照）で固定されるようになっている。
【００２３】
チヤンネル縦桁４の前端部および後端部には、それぞれ揺動リンク６および７の上端部が枢着６a（図２参照）および７aされている。１２はセンターバーであって、前部と中間部に固着したU形枠金１０および１１に、揺動リンク６および７の下端部がそれぞれ枢着６bおよび７bされ、チャンネル縦桁４と揺動リンク６、７およびセンターバー１２とで平行四辺形リンクを形成し、センターバー１２がチヤンネル縦桁４に対し平行に上下動するようになっている。
【００２４】
８は円弧状ガイドであり、下端部が揺動リンク６の下端部に枢着され、上端部がチャンネル縦桁４の中間部を摺動自在に貫通し、上端部にストッパ8 aを設けている。９は圧縮コイルスプリングであり、円弧状ガイド８の外周に遊嵌し、上端面がチャンネル縦桁４の下面に接し、センタービム１２を常時下方に押圧している。この種の構成は、実用新案公報平成７年第７号「カルチベータにおける自動高低調節装置」として知られている。
【００２５】
図３は図１の概略平面図であり、センタービーム１２は作物Pの畦間中心線に沿って走行するように、ツールバ３に設けられている。図４は、第１実施例の詳細を示す要部斜視図である。図３、図４図も参照し、さらに説明すると、センタービーム１２の前端部には、定規輪２２がヨーク２３を介し回動自在に設けられている。
【００２６】
１３は角鋼のスライドシャンクであり、センタービーム１２の前部右側および中間部左側に外方へ水平に設ける。１４はスライドシャンク保持体であり、スライドシャンク１３を摺動自在に挿通させる角筒部２８を備え、スライドシャンク１３を適当位置に止めねじ２９で固定するようになっている。３０は、スライドシャンク保持体１４をセンタービーム１２に固定するボルト・ナットである。図４ではスライドシャンク１３をセンタービーム１２の前部右側と中間部左側に設けているが、前部左側と中間部右側に設けてもよい。  
【００２７】
１５は、スライドシャンク１３の外端部に垂直に固着された長方形のプレートである。プレート１５の前後両端部にボルト・ナット３４を貫通に設け、取付け柄１７および１８を取付けている。また、センタービーム１２の後端部に固定用ブロック２０を設け、取付け柄１９を挿通し垂直に固定している。３１は固定ブロック２０を取付けるボルト・ナット、３２は取付け柄１９を固定する止めねじである。取付け柄１７、１８および１９の下端部には、中耕爪２１がボルト、ナットで固設されている。  
【００２８】
１６はタイン保持体であり、取付け柄１７および１８の外面に前記のボルト・ナット３４で固定されている。２４は下部左曲り直立形タイン、２５は下部右曲り直立形タインであり、それぞれタイン保持体１６のタイン挿通孔４３（図９参照）に挿通し高低調節自在に止めねじ３３で固定されている。３５および３６は、それぞれ直立形タイン左曲り下端部および直立形タイン右曲り下端部であり、図３に示すように、それぞれ中耕爪２１の左側および右側の外方に配設される。
【００２９】
次に、図８、図９は、鋳鉄製のタイン取付部１６の正面図、平面図である。４３は、タイン挿通孔であり、厚さ９ｍｍ、幅３２mmのタイン２枚を挿通できるように、縦幅１９ｍｍ、横幅３３ｍｍである。図中の３３は前述した止めねじ、３４はボルト・ナット、４２はロックナット、４４はリブ、４５は突出座である。
【００３０】
１０は、第１実施例の下部左曲り直立形タイン２４を示し,(a) は左側面図、（b）は後面図である。実施例は、センタービーム１２の下面から取付け柄１７、１８の中耕爪２１下端までの長さが４０ｃｍに対するものである。下部左曲り直立形タイン２４は、ばね鋼を熱処理したものである。
【００３１】
図中、全長Lは８０ｃｍ、厚さｔが９ｍｍ、幅wが３２ｍｍであり、下端部の切削幅Wは１５ｃｍから３ｃｍ刻みに６ｃｍまで四種類を用意し、硬い耕土には幅の狭いものを使用するようにした。下端折曲げ部までの長さL1が７６cm、折曲げ部までの切刃４０の長さL2は３４cmである。折曲げ部３５の下部折曲げ角αは１５°、貫入角β（前方下向き傾斜角）７°である。
【００３２】
図１１は図１０のA−A線断面図であり、タイン幅wが３２mm、タイン厚さtが９mm、切刃角γは２５°で、切刃４０は進行方向Fの右側を片刃に形成している。図４で説明した下部右曲り直立形タイン２５は切刃が前進方向Fの左側に形成され、下端部が右曲りに形成される以外下部左曲り直立タイン２４と同一である。
【実施例２】
【００３３】
図５は、第２実施例の要部斜視図であリ、下部左曲り後退形タイン２６および下部右曲り後退形タイン２７を、それぞれ左側のタイン保持体１６および右側のタイン保持体１６にそれらの上方直立部２６aおよび２７aを挿通し、止めねじ３３で固定している。３７は後退形タインの左曲り下端部であり、３８は後退形タインの右曲り下端部である。３９は、下部左曲り後退形タイン２６と下部右曲り後退形タインの後退部である。４１は切刃であり、後退部３９から下端部３７および３８にわたり前縁に形成している。
【００３４】
図１２は、第２実施例の下部右曲り後退形タイン２７を示し、（a）は後面図、（b）は下端部折曲げ前の形状を一点鎖線で示す右側面図である。図中、下部折曲げ角αは１５°、貫入角βが７°、後方下向き傾斜角δは１５５°である。切刃角は図１１と同じく２５°
である。全長Ｌ３が８０ｃｍ、タインの厚さｔが９ｍｍ、幅ｗが３２ｍｍ、下端部の切削幅Ｗは１５ｃｍから３ｃｍ刻みに６ｃｍまで四種類を用意し、耕土の硬軟に応じて使い分けるようにした。
【００３５】
図１２において、上端から下部折曲げ部までの長さL4が７３cm、上方直立部２７aの長さL5が３０cmである。後退部の折曲げ前の長さL6が６３cm、切刃の長さ L7が５０cmで、進行方向Ｆの右側に形成されている。図５で示した下部左曲り後退形タイン２６は、前縁の切刃が前進方向の左側に形成され、下端部が左側に折曲げている以外、下部右曲り後退形タイン２７と同一である。
【００３６】
以上に説明した下部左曲り直立形タイン２４、下部右曲り直立形タイン２５、下部左曲り後退形タイン２６および下部右曲り後退形タイン２７は、タイン保持体１６の止めねじ３３で耕土への貫入深さ調節して使用するが、通常１５ｃｍ、最大２５ｃｍで使用する。
【実施例３】
【００３７】
図６は、第３実施例の要部斜視図である。この場合は、第１実施例における取付け柄１７、１８とともに中耕爪２１を取外し、プレート１５にタイン保持体１６を取付ける。そして、左側のタイン保持体１６に下部左曲り直立形タイン２４と下部右曲り後退形タイン２７を左右に重ね合せて挿通し、止めねじ３３で固定する。同様に、右側のタイン保持体１６に下部右曲り直立形タイン２５と下部左曲り後退形タイン２６を左右に重ね合せて挿通し、止めねじ３３で固定する。
【００３８】
第３実施例では、第７図に示すように、前記下部右曲り直立形タイン２５の下端部３６と下部左曲り後退形タイン２６の下端部３７、および下部左曲り直立形タイン２４の左曲り下端部３５と下部右曲り後退形タイン２７の右曲り下端部３８が、センタービーム１２の前部右側と中間部左側に併設され、広い撹耕幅と除草幅になる。また、これらの直立形タイン２４、２５と後退形タイン２５、２７の深さを変えることによって、立体的に中耕深ならびに除草深が形成される。
【００３９】
図示を省略したが、図７においてセンタービーム１２の前部右側に配設した下部右曲り直立形タイン２５と下部左曲り後退形タイン２６を、中間部左側の下部左曲り直立形タイン２４と下部右曲り後退形タイン２７に入換えてもよい。第３実施例において、前部右側と中間部左側に取付け柄１７、１８および中耕爪２１を配設しないのは、撹土の際における中耕爪との間の土の詰まりを防ぐためである。  
【図面の簡単な説明】
【００４０】
【図１】本発明の第１実施例を備えたカルチベータの後方斜視図である。
【図２】図１の要部左側面図である。
【図３】図１の概略平面図である。
【図４】図１の要部斜視図である。
【図５】第２実施例の要部斜視図である。
【図６】第３実施例の要部斜視図である。
【図７】第３実施例を備えたカルチベータの概略平面図である。
【図８】タイン取付体の正面図である。
【図９】同じく平面図である。
【図１０】第１実施例における左側の下部左曲り直立タインを示し、（a）は左側面図、                            (b)は後面図である。
【図１１】A−A線の拡大断面図である。
【図１２】第２実施例における下部右曲り後退形タインを示し、（a）は後面図、 (b) は                                下端部の折曲げ前を一点鎖線で示す右側面図である。
【符号の説明】
【００４１】
１      カルチベータ      
１２    センタービーム  
１３    スライドシャンク      
１４    スライドシャンク保持体    
１６    タイン保持体
１７    取付け柄      
１８    取付け柄      
１９    取付け柄  
２１    中耕爪    
２４    下部左曲り直立形タイン
２５    下部右曲り直立形タイン
２６    下部左曲り後退形タイン
２７    下部右曲り後退形タイン
２８    角筒部  
２９    止めねじ
３０    ボルト・ナット  
３１    ボルト・ナット
３２    止めねじ
３３    止めねじ
３４    ボルト・ナット    
３９    後退部  
４０    切刃
４１    切刃
４３    タイン挿通孔  
【図１】
2005124461.tif 000003
【図２】
2005124461.tif 000004
【図３】
2005124461.tif 000005
【図４】
2005124461.tif 000006
【図５】
2005124461.tif 000007
【図６】
2005124461.tif 000008
【図７】
2005124461.tif 000009
【図８】
2005124461.tif 000010
【図９】
2005124461.tif 000011
【図１０】
2005124461.tif 000012
【図１１】
2005124461.tif 000013
【図１２】
2005124461.tif 000014